(57)【特許請求の範囲】
【請求項１】
蓋に設けられる折畳み用の蓋取っ手において、
ベース部１０と；ベース部１０に安着して前後に移動できる中央動作部３０と；前記ベース部に回転可能になるように結合されるハンドル部５０と；前記ベース部、中央動作部及びハンドル部をカバーする上部体７０と；前記中央動作部の前後移動を図るボタン部４０と；から構成されており、
ベース部１０は一側に上向きに突出形成されており、ボタン安着部１２が備えられている突出壁面１１と；前記ボタン安着部の中央地点にボタン動作バネ１４が結合する上向き突出したバネ結合部１３と；中央に穿孔されている中央ホール１５と；ハンドル部５０が据え置きできる１対のハンドル据置き部１８と；から構成されており、
中央動作部３０は、一側に係合部３４と；他側に前記ボタン動作バネ１４が結合したバネ結合部１３が突出できるように穿孔されたボタン貫通ホール３２と；中央に穿孔されている中央貫通ホール３３と；から構成されており、
ボタン部４０は、押付け部４２ｃ、前記押付け部よりその外周が大きい受け接面部４２ａ、受け接面部４２ａの底面に形成された陥没部４２ｂを備えた上段ボタン部４２と；前記上段ボタン部の陥没部４２ｂに挿入される挿入突出部４１ｃ、前記挿入突出部の底面に前記上段ボタン部の受け接面部の外周が同一の受け部４１ｂ、前記受け部の底面に備えられた傾斜部４１ａ及びボタン動作バネが結合できるように傾斜部底面に形成された挿入部４１ｄとを備えた下段ボタン部４１；から構成されており、
前記ベース部のハンドル据置き部１８に据え置きされるハンドル部５０は、前記中央動作部３０の係合部３４によって固定できる係合陥没部５１と；弾性体６０が結合され、端部受け部５３が備えられている一端の弾性体結合部５２と；他端の回転軸部５４と；から構成されており、
上部体７０は、ボタンホール７１と；前記中央動作部の中央貫通ホール３３及びベース部の中央ホール１５を貫通して設けられる下向き突出部７３と；前記下向き突出部に形成されたネジ締結部７３ａと；ハンドル部の係合陥没部５１と締結できるように中央動作部の係合部が貫通する貫通部７４と；ベース部のハンドル据置き部に据え置きされたハンドル部が回転直立できるように両側壁に穿孔された回転貫通ホール７５と；から構成されており、
上部体の下向き突出部と中央動作部の係合部の背面に設けられる元復バネ８０をさらに含み、ボタン部が操作されるとボタン部の傾斜部によって、中央動作部が後退し、ハンドル部の係合陥没部５１に固定された中央動作部の係合部３４が後退することで、ハンドル部の弾性体結合部５２に結合した弾性体６０によって、ハンドル部５０が直立するようになり、加圧していたボタン部４０に対する外力が消滅したとき、ボタン部はボタン動作バネ１４によって再び上向き移動することとなり、中央動作部の係合部３４の背面と下向き突出部７３との間に設けられる元復バネ８０によって、中央動作部の係合部３４が前方に移動することとなり、係合部が前方に移動することで、ハンドル部を再び折畳むときにはハンドル部の係合陥没部が中央動作部の係合部に再固定できることを特徴とする折畳み用の蓋取っ手。
【請求項２】
中央ホール縁に形成されている外郭縁突出部１６を；さらに含んでいることを特徴とする請求項１に記載の折畳み用の蓋取っ手。
【請求項３】
ベース部の中央ホール周りに上向き突出成形した２ないし４つの突起部１７と；前記突起部により貫通、安着できるように中央動作部に突起部１７より大きく穿孔した突起安着ホール３１を；さらに含んで中央動作部が突起安着ホールと突起部の離隔間隔ほど前後に移動できることを特徴とする請求項１に記載の折畳み用の蓋取っ手。
【請求項４】
ハンドル部の回転軸部に形成されているストップ係合部５５と；
上部体他端底面に形成されているストップ部７６を；さらに含んでいて、上部体７０のストップ部７６はハンドル部５０が回転直立しながら回転軸部５４のストップ係合部５５がストップ部７６によってその回転が制限され、ハンドル部の直立角を限定できることを特徴とする請求項１に記載の折畳み用の蓋取っ手。
【請求項５】
上部体の下向き突出部の外壁に形成された係合突出部７７を；さらに含み、係合部の背面と下向き突出部との間に元復バネが設けられることを特徴とする請求項１に記載の折畳み用の蓋取っ手。
【請求項６】
上部体に形成された底面保持突起部７２と；
弾性体両端に形成された保持長部及び受け短部を；さらに含んでおり、
弾性体の両端が８０〜９０度の離隔角を有して前記受け短部は弾性体結合部５２の端部受け部５３に据え置きされており、保持長部６１は上部体７０の底面に形成された底面保持突起部７２に安着されており、ハンドル部に直立向き外力が伝達できることを特徴とする請求項１に記載の折畳み用の蓋取っ手。
【発明の詳細な説明】
【技術分野】
【０００１】
本発明は折り畳み用の蓋取っ手（Ｆｏｌｄ−ａｂｌｅ  ｌｉｄ  ｈａｎｄｌｅ  ｏｐｅｒａｔｅｄ  ｂｙ  ｂｕｔｔｏｎ−ｐｒｅｓｓ）に関するものであって、
ベース部、中央動作部、上部体、ボタン部及びハンドル部；から構成されており、ボタン部を加圧すると、ハンドル部がベース部から離脱して、直立することで、使用者が容易にハンドル部を把持できる折畳み用の蓋取っ手に関するものである。
【背景技術】
【０００２】
調理が完了し、調理用具の蓋を開閉するとき、蓋に付着した熱伝導率の低い耐熱性の取っ手を利用することになる。大部分の取っ手は上面に突出しているが、突出した取っ手により、保管時に空間を多く占める短所があった。
【０００３】
これに対して、特許文献１（キッチン用調理機構の蓋取っ手着脱装置）においては、調理機構の蓋と蓋取っ手をワンタッチ方式に着脱可能に構成することにより、蓋をより安定的に積層し、乾燥及び保管できるようにしたキッチン用調理機構の蓋取っ手着脱装置を提案した。しかし、これはその構成が複雑で、蓋取っ手を分離した後、別途保管しなければならず、必要となるたびに探さなければならない不便があった。
【０００４】
前記不便を改善するために、本発明は大部分の調理用具に設置でき、蓋に取っ手が結合した状態で、取っ手をボタン操作のみで折畳んだり、拡げられるようにした折畳用の蓋取っ手を提供しようとする。
【先行技術文献】
【特許文献】
【０００５】
【特許文献１】韓国特許出願第２０−２００４−０００１７６６号
【発明の概要】
【発明が解決しようとする課題】
【０００６】
本発明は折畳み用の蓋取っ手に関するものであって、
ボタン部を加圧すると、ハンドル部がベース部から離脱して直立できる折畳み用の蓋取っ手を提供しようとする。
【課題を解決するための手段】
【０００７】
前記課題を解決するために、
本発明は大別してボタン動作バネが結合できるバネ結合部を備えているベース部と；係合部を備えており、前後移動可能に前記ベース部に安着できる中央動作部と；回転貫通ホール、ボタン貫通ホール及び前記係合部が突出できるように形成された貫通部を備えている上部体と；前記回転貫通ホールに設けることができ、弾性体が挿結できるように一側に形成された弾性体結合部が備えられており、前記中央動作部の係合部が係り合って折畳まれた状態で固定できるハンドル部と；から構成された折畳み用の蓋取っ手を提供することで解決できる。
【０００８】
また、本発明はベース部のバネ結合部及びボタン部が結合されるボタン動作バネと；ハンドル部一側の弾性体結合部に結合する弾性体を用いて、ボタン部が上方から下方に加圧されると、ハンドル部が直立できる折畳み用の蓋取っ手を提供することで解決できる。
【発明の効果】
【０００９】
本発明は折畳み用の蓋取っ手に関するものであって、
ハンドル部を蓋に最大限密着して保管でき、必要時に簡単にボタン部を簡単に押すことで、ハンドル部の直立を図り、これを把持することで、加熱された鍋の蓋などを迅速、かつ効率的に除去できるという長所がある。
また、本発明のハンドル部は多様な調理容器の蓋に簡単に設けることができ、既存の鍋の蓋に交替、設置できて、その活用性を極大化したという長所がある。
【図面の簡単な説明】
【００１０】
【図１】図１は折畳み用の蓋取っ手に対する実施図である。
【図２】図２は折畳み用の蓋取っ手に対する実施図である。
【図３】図３は折畳み用の蓋取っ手に対する分離斜視図である。
【図４】図４は折畳み用の蓋取っ手のボタン部に対する分離斜視図である。
【図５】図５は折畳み用の蓋取っ手の実施断面図である。
【図６】図６は折畳み用の蓋取っ手の上部体の底面に結合するハンドル部の設置図である。
【図７】図７は折畳み用の蓋取っ手のハンドル部に設けられる弾性体に対する細部図である。
【図８】図８は折畳み用の蓋取っ手のベース部と中央動作部の結合に対する結合図である。
【発明を実施するための形態】
【００１１】
以下、添付の図面を参考してより詳しく説明することとする。
これに先だち、本明細書及び特許請求の範囲に用いられる用語や単語は通常的であったり辞典的な意味に限定して解釈されてはならず、発明者は自らの発明をもっとも最善の方法で説明するために用語の概念を適切に定義できるという原則に立脚して本発明の技術的思想に符合する意味と概念で解釈されなければならない。
よって、本明細書に記載された実施例と図面に図示された構成は、本発明のもっとも好ましい一実施例に過ぎないだけで、本発明の技術的思想をすべて代弁するものではないので、本出願時点においてこれらは代替できる多様な均等物と変更例があることを理解すべきである。
【００１２】
本発明は折畳み用の蓋取っ手に関するものであって、
大別してベース部１０と；前記ベース部１０に安着して前後に移動できる中央動作部３０と；前記ベース部に回転可能になるように結合されるハンドル部５０と；前記ベース部、中央動作部及びハンドル部をカバーする上部体７０と；前記中央動作部の前後移動を図るボタン部４０と；から構成されている折畳み用の蓋取っ手に関するものである。
【００１３】
より詳しくは、
ベース部１０は
一側に上向きに突出形成されており、半円形に陥没したボタン安着部１２が備えられている突出壁面１１と；前記陥没したボタン安着部の中央地点にボタン動作バネ１４が結合する上向き突出したバネ結合部１３と；中央に穿孔されており、その縁に外郭縁突出部１６が形成されている中央ホール１５と；前記中央ホール周りに突出した２ないし４つの突起部１７と；ハンドル部５０が据え置きできる１対のハンドル据置き部１８と；から構成されており、
また、中央動作部３０は、
一側に係合部３４と；他側に前記ボタン動作バネ１４が結合したバネ結合部１３が突出できるように穿孔されたボタン貫通ホール３２と；中央に穿孔されており、前記ベース部の外郭縁よりその外周が大きく穿孔された中央貫通ホール３３と；前記中央貫通ホール周りに形成され、前記ベース部の突起部が貫通でき、突起部１７より大きく穿孔された突起安着ホール３１と；から構成されており、中央動作部が突起安着ホールと突起部の離隔間隔ほど前後に移動でき、
また、ボタン部４０は、
上段ボタン部４２と；下段ボタン部４１と；から区分されるが、
上段ボタン部４２は押付け部４２ｃと；前記押付け部よりその外周が大きい受け接面部４２ａと；受け接面部４２ａの底面に形成された陥没部４２ｂと；から構成されており、
下段ボタン部４１は、前記上段ボタン部の陥没部４２ｂに挿入される挿入突出部４１ｃと；前記挿入突出部の底面に前記上段ボタン部の受け接面部４２ａとその外周が同一の受け部４１ｂと；前記受け部の底面に備えられた傾斜部４１ａと；ボタン動作バネが結合できるように傾斜部底面に形成された挿入部４１ｃと；から構成されていて、前記上段ボタン部４２と下段ボタン部４１とは結合して１ボタン部４０を構成することができ、
また、前記ベース部のハンドル据置き部１８に据え置きされるハンドル部５０は、
前記中央動作部３０の係合部３４によって固定でき、内壁中央に形成された係合陥没部５１と；弾性体６０が結合され、端部受け部５３が備えられている一端の弾性体結合部５２と；ストップ係合部５５が形成されている他端の回転軸部５４と；から構成されており、
また、上部体７０は、
ボタンホール７１と；前記中央動作部の中央貫通ホール３３及びベース部の中央ホール１５を貫通して設けられる下向き突出部７３と；前記下向き突出部に形成されたネジ締結部７３ａと；ハンドル部の係合陥没部５１と締結できる中央動作部の係合部が貫通する貫通部７４と；ベース部のハンドル据置き部に据え置きされたハンドル部が回転直立できるように両側壁に穿孔された回転貫通ホール７５と；底面に形成された底面保持突起部７２と；底面一側の回転貫通ホールに形成されているストップ部７６と；下向き突出部の外壁に形成された係合突出部７７とから構成されており、
また、弾性体６０は、
一端の保持長部６１と；他端の受け短部６２と；から構成されていて、前記ハンドル部一端の弾性体結合部５２の端部受け部５３に弾性体の受け短部６２が据え置きでき、一端の保持長部６１は上部体７０の底面に形成された底面保持突起部７２に安着されていて、ハンドル部に直立向き外力を伝達している。
【００１４】
また、上部体７０のストップ部７６はハンドル部５０が回転直立しながら回転軸部５４のストップ係合部５５がストップ部７６によってその回転が制限され、ハンドル部の直立角を限定できるようにした。
【００１５】
また、前記上部体下向き突出部、係合突出部には元復バネ８０が締結されるが、元復バネは中央動作部の係合部３４背面と下向き突出部７３との間の係合突出部７７を用いて設けられ、係合部を上部体７０の貫通部７４に突出させる役割をする。
【００１６】
実施例としては、
図１ないし２に図示されたように、鍋１００の蓋１０１あるいは容器の蓋に結合できるようにし、必要時にハンドル部５０が図４のように、一定角度に回転して直立できるようにした。
【００１７】
具体的には、
図３のように、ベース部１０に中央動作部３０がベース部の突起部１７及び前記突起安着ホール３１を用いて前後に移動可能に安着することができ、ベース部１０の１対のハンドル据置き部１８にハンドル部の弾性体結合部５２及び回転軸部５４がそれぞれ設けられ、ボタン部４０がベース部のバネ結合部に結合したボタン動作バネ１４に結合した後、上部体７０とベース部１０が中央動作部３０、ハンドル部５０の弾性体結合部５２及び回転軸部５４並びにボタン部４０を挟んで固定結合することとなる。この際、上部体７０のボタンホール７１を介してボタン部の押付け部４２ｃが加圧可能になるように露出され、ボタン部の受け部４１ｂと受け接面部４２ａとは押付け部４２ｃよりその外周が大きく製作され、上部体のボタンホール７１を介してボタン部の押付け部が露出し、前記受け接面部４２ａは上部体のボタンホールより外周が大きいため、ボタン部が上部体とベース部との間に設けられると、上部体７０のボタンホール７１を介してボタン部４０が離脱しない。ボタン部４０の下段ボタン部４１の挿入部４１ｄは中央動作部のボタン貫通ホール３２を介して上向き突出したボタン動作バネ１４と結合するが、ボタン部が加圧されたとき、下段ボタン部の傾斜面４１ａによって、中央動作部のボタン貫通ホールが図６に図示されたように、ベース部の突起部１７と突起安着ホール３１との間の離隔空間ほど後方に移動することとなる。よって、ハンドル部の係合陥没部５１に固定されていた中央動作部の係合部３４が後退して解除されることにより、ハンドル部の弾性体結合部５２に結合した弾性体６０によって、ハンドル部５０が直立することになる。加圧していたボタン部４０は外力が消滅したとき、再び上向きに移動することになり、中央動作部の係合部３４の背面と下向き突出部７３との間の係合突出部７７を用いて設けられる元復バネ８０によって、中央動作部の係合部３４が前方に移動することになる。すなわち、元復バネ８０はボタン部が押されたときに中央動作部が後方に移動しながら圧縮されるようになり、ボタン部がボタン動作バネによって上向きに移動するとき、元復バネはその元復力によって膨張し、係合部が前方に移動できるようにした。ハンドル部を再び折畳む時は、ハンドル部の係合陥没部が中央動作部の係合部に再固定され、ハンドル部の係合陥没部５１の深さほど、係合部が前方に移動して係合陥没部に固定されることにより、ハンドル部を折畳んで保管できる。
【００１８】
また、上部体の下向き突出部は中央動作部の中央貫通ホール、ベース部の中央ホールを貫通してベース部の底面と同様の扁平度で露出し、下向き突出部のネジ締結部及びネジ１０２を用いて、蓋と固定結合することとなる。
【００１９】
また、図７のように、弾性体はハンドル部一側の弾性体結合部に締結されるが、弾性体の保持長部と受け短部は約８０〜９０度の離隔角を持つように設けられ、このために、保持長部は上部体底面の底面保持突起部に設けられ、受け短部は弾性体の両端が底面保持突起部基準８０〜９０度の角度を確保できるように弾性体結合部に形成されていて、弾性体が設けられるとき、前記設定された８０〜９０度の角度を解消しようとハンドル部を直立する方向に付勢する力が作用することとなる。
【００２０】
以上のように、本発明では具体的な構成要素などのような特定事項と限定された実施例及び図面によって説明されたが、これは本発明のより全般的な理解に役立つために提供されたものであるだけで、本発明は前記の実施例に限定されるものではなく、本発明が属する分野において通常的な知識有する者であれば、このような記載から多様な修正及び変形が可能である。
よって、本発明の思想は説明された実施例に限定されてはならず、後述する特許請求の範囲のみならず、この特許請求の範囲と均等であったり等価的変形のあるすべてのことは本発明の範疇に属すると言える。
【符号の説明】
【００２１】
１０．ベース部
１１．突出壁面
１２．ボタン安着部
１３．バネ結合部
１４．ボタン動作バネ
１５．中央ホール
１６．外郭縁突出部
１７．突起部
１８．ハンドル据置き部
３０．中央動作部
３１．突起安着ホール
３２．ボタン貫通ホール
３３．中央貫通ホール
３４．係合部
４０．ボタン部
４１．下段ボタン部
４１ａ．傾斜部
４１ｂ．受け部
４１ｃ．挿入突出部
４１ｄ．挿入部
４２．上段ボタン部
４２ａ．受け接面部
４２ｂ．陥没部
４２ｃ．押付け部
５０．ハンドル部
５１．係合陥没部
５２．弾性体結合部
５３．端部受け部
５４．回転軸部
５５．ストップ係合部
６０．弾性体
６１．保持長部
６２．受け短部
７０．上部体
７１．ボタンホール
７２．底面保持突起部
７３．下向き突出部
７３ａ．ネジ締結部
７４．貫通部
７５．回転貫通ホール
７６．ストップ部
７７．係合突出部
８０．元復バネ
１００．鍋
１０１．蓋
１０２．ネジ
【要約】      （修正有）【課題】ボタン部を加圧すると、ハンドル部がベース部から離脱して直立できる折畳み用の蓋取っ手を提供する。【解決手段】折り畳み用の蓋取っ手に関するものであって、ベース部、中央動作部３０、上部体７０、ボタン部４０及びハンドル部５０、から構成されており、ボタン部を加圧すると、ハンドル部がベース部から離脱して、直立することで、使用者が容易にハンドル部を把持することができ、ハンドル部を蓋に最大限密着して保管でき、必要時に簡単にボタン部を簡単に押すことで、ハンドル部の直立を図り、これを把持することで、加熱された鍋の蓋などを迅速、かつ効率的に除去でき、ハンドル部は多様な調理容器の蓋に簡単に設けることができ、既存の鍋の蓋に交替、設置できてその活用性を極大化することができる。【選択図】図３【図１】
0006891256.tif 000002
【図２】
0006891256.tif 000003
【図３】
0006891256.tif 000004
【図４】
0006891256.tif 000005
【図５】
0006891256.tif 000006
【図６】
0006891256.tif 000007
【図７】
0006891256.tif 000008
【図８】
0006891256.tif 000009